(57)【要約】      （修正有）【課題】室内に高温空気を吹き出すときに、高温空気の熱エネルギーの急速な損失を効果的に回避し、室内温度を上昇させるのに必要な時間を短縮することができる冷暖房用ファンを提供する。【解決手段】冷暖房用ファンの組合せ構造は、駆動デバイスが単独で起動されるとき、駆動デバイス４０を制御してファンブレードアセンブリを第１の回転速度範囲内で回転駆動し、低温対流を引き起こさせるための電子デバイス６０を含む。電子デバイスは、駆動デバイスおよび加熱デバイス５０が同時に起動されるとき、駆動デバイスを第１の回転速度範囲よりも小さい第２の回転速度範囲内で回転させるための制限モジュール６１を含む。すなわち、駆動デバイスおよび加熱デバイスが同時に起動されるとき、駆動デバイスを第２の回転速度範囲内で回転させるように制限し、それによって熱対流中の熱エネルギーの急速な損失を防止しながら室内環境の温度を上昇させる。【選択図】図３
2018021543.tif 000002
【特許請求の範囲】
【請求項１】
ファンブレードアセンブリを回転駆動する駆動デバイスと、高温空気を発生させるための加熱デバイスと、を備え、
前記駆動デバイスおよび前記加熱デバイスは、電子デバイスに電気的に接続され、
前記電子デバイスは、前記駆動デバイスを制御して事前設定された第１の回転速度範囲内で回転させ、それにしたがって前記ファンブレードアセンブリを回転駆動し、低温対流を引き起こさせ、
前記電子デバイスはまた、前記高温空気を発生させるように前記加熱デバイスを選択的に制御し、
前記電子デバイスは、前記駆動デバイスおよび前記加熱デバイスが同時に起動されるとき、前記第１の回転速度範囲よりも小さい第２の回転速度範囲内の速度で前記駆動デバイスを回転させるように制限することができる制限モジュールを備え、それによって前記ファンブレードアセンブリは、前記高温空気を吹き出して熱対流を引き起こすことを特徴とする、冷暖房用ファンの組合せ構造。
【請求項２】
前記電子デバイスが、
前記駆動デバイスに電気的に接続されて、前記駆動デバイスを前記第１の回転速度範囲の速度で回転させるように制御する調整ユニットと、
前記駆動デバイスに電気的に接続されて、前記駆動デバイスを第２の回転速度範囲の速度で回転させるように制限する速度制限ユニットと、
前記調整ユニット、前記速度制限ユニットおよび前記加熱デバイスに電気的に接続されて、外部電源を前記調整ユニットのみ、または、前記速度制限ユニットおよび前記加熱デバイスの両方に選択的に送る電流分割ユニットと、
前記電流分割ユニットに電気的に接続されて、前記外部電源を前記調整ユニットのみ、または、前記速度制限ユニットおよび前記加熱デバイスの両方に送るように前記電流分割ユニットを制御する処理ユニットと、を含み、
前記速度制限ユニットおよび前記電流分割ユニットが、共に前記制限モジュールを形成する、請求項１に記載の冷暖房用ファンの組合せ構造。
【請求項３】
前記処理ユニットが、前記駆動デバイスのみが起動されたときに前記電流分割ユニットに第１の制御信号を生成し、それにより、前記第１の制御信号を受信した前記電流分割ユニットは、前記外部電源を前記調整ユニットのみに送り、
前記処理ユニットは、前記駆動デバイスおよび前記加熱デバイスの両方が起動されたときに前記電流分割ユニットに第２の制御信号を生成し、それにより、前記第２の制御信号を受信した前記電流分割ユニットは、前記外部電源を前記速度制限ユニットおよび前記加熱デバイスの両方に送る、請求項２に記載の冷暖房用ファンの組合せ構造。
【請求項４】
前記電子デバイスが、
前記駆動デバイスに電気的に接続されて、前記駆動デバイスを前記第１の回転速度範囲の速度で回転させるように制御する調整ユニットと、
前記調整ユニットに電気的に接続されて前記調整ユニットを抑制する抑制ユニットであって、それにより、前記調整ユニットは、前記駆動デバイスを前記第２の回転速度範囲内の速度でのみ回転駆動する、抑制ユニットと、
前記調整ユニットおよび前記加熱デバイスに電気的に接続されて、外部電源を前記調整ユニットのみまたは前記調整ユニットおよび前記加熱デバイス両方に選択的に送る電流分割ユニットと、
前記電流分割ユニットおよび前記抑制ユニットに電気的に接続されて、前記外部電源を前記調整ユニットのみまたは前記調整ユニットおよび前記加熱デバイスの両方に送るように前記電流分割ユニットを制御する処理ユニットと、を含み、
前記抑制ユニットおよび前記電流分割ユニットが、共に前記制限モジュールを形成する、請求項１に記載の冷暖房用ファンの組合せ構造。
【請求項５】
前記処理ユニットが、前記電流分割ユニットに第１の制御信号を生成し、それにより、前記電流分割ユニットは、前記調整ユニットを介して前記駆動デバイスのみを起動させ、前記駆動デバイスを前記第１の回転速度範囲内の速度で回転させるように制限し、
前記処理ユニットは、前記電流分割ユニットおよび前記抑制ユニットの両方に第２の制御信号を生成し、それにより、前記駆動ユニットは、前記第２の回転速度範囲内の速度で回転し、前記加熱デバイスは、高温空気を発生させるように駆動される、請求項４に記載の冷暖房用ファンの組合せ構造。
【請求項６】
前記電流分割ユニットおよび前記処理ユニットが、共にマイクロプロセッサを構成する、請求項２から５のいずれか１項に記載の冷暖房用ファンの組合せ構造。
【請求項７】
前記第１および第２の回転速度範囲が、同じ下限値を有し、前記第１の回転速度範囲は、前記第２の回転速度範囲のものより高い上限値を有する、請求項１に記載の冷暖房用ファンの組合せ構造。
【請求項８】
前記電子デバイスに電気的に接続された無線受信機モジュールであって、ポータブルモバイルデバイスに無線で接続され、それにより、前記ポータブルモバイルデバイスは、前記無線受信機モジュールを介して前記駆動デバイスおよび前記加熱デバイスを起動させることができる、無線受信機モジュールをさらに備える、請求項１に記載の冷暖房用ファンの組合せ構造。
【請求項９】
前記電子デバイスに電気的に接続されて、室内環境内の種々の物理量を検出する感知デバイスをさらに備え、前記電子デバイスは、任意の特定の物理量が事前設定値より高いまたは低いことを前記感知デバイスが検出したとき、前記駆動デバイスおよび前記加熱デバイスをオフにする、請求項１に記載の冷暖房用ファンの組合せ構造。
【請求項１０】
前記感知デバイスが、室内温度を検出するための温度センサユニットと、室内の湿度レベルを検出するための湿度センサユニットと、を含み、
前記電子デバイスは、前記温度センサユニットが対応する事前設定値に対して高すぎる室内温度を検出した場合、または、前記湿度センサユニットが対応する事前設定値に対して低すぎる室内湿度レベルを検出した場合に、前記駆動デバイスおよび前記加熱デバイスが作動するのを停止させる、請求項９に記載の冷暖房用ファンの組合せ構造。
【請求項１１】
前記駆動デバイスが、前記ファンブレードアセンブリを振動させるための振動アセンブリを含み、
前記電子デバイスは、前記ファンブレードアセンブリを振動させるように前記振動アセンブリを選択的に制御することができる、請求項１に記載の冷暖房用ファンの組合せ構造。
【発明の詳細な説明】
【技術分野】
【０００１】
本発明は、冷暖房用ファンの組合せ構造に関し、より詳細には、ファン構造の加熱デバイスが高温空気を発生させるために起動されたとき、駆動デバイスおよびそのファンブレードアセンブリを低減された回転速度で回転させるように制限することができる冷暖房用ファンの組合せ構造に関する。
【背景技術】
【０００２】
工業技術の進歩は、世界中のすさまじい気候変動、特に夏の絶え間ない温度上昇を引き起こすように悪化している地球温暖化問題ももたらしている。ほとんどの人は、室内の温度を下げるためにエアコンや電気ファンを使用して耐え難い熱を取り除こうとする。電気ファンに関しては、夏に使用する冷却ファンと冬に使用するファンヒーターの２つのカテゴリーに大別される。ユーザは、冬には冷却ファンを、夏にはファンヒーターを保管する必要がある。冷却ファンおよびファンヒーターの両方を購入することは、明らかに消費者の負担を増大させ、季節的に使用されていない冷却ファンまたはファンヒーターは、追加の保管スペースを必要とする。上記の問題を克服するために、選択的に冷却空気または高温空気を発生させることができる二重ファン式冷暖房機が開発され、市場に導入されている。
【０００３】
現在市販されている二重ファン式冷暖房機は、周囲の空気を加熱して高温空気を発生させる加熱デバイスと、回転して発生した高温空気を室内環境に吹き出して徐々に室内環境の温度を上昇させるファンブレードアセンブリとを含む。ファンブレードアセンブリの回転速度は、室内温度を上昇させるのに必要な時間を間接的に延長または短縮することに留意されたい。ユーザがファンブレードアセンブリの回転速度を増加させて室内環境の空気対流を増加させると、発生した高温空気の温度は必然的により急速に低下し、室内温度を上昇させるためにはより多くの時間が必要となる。
【０００４】
現在利用可能な二重ファン式冷暖房機の欠点を考慮すると、ファン構造が室内環境に高温空気を吹き出すときにその駆動デバイスを特定の回転速度範囲内で回転させるように制限し、それによって高温空気の熱エネルギーの急速な損失を回避し、室内環境の温度を上昇させるのに必要な時間を短縮することができる、改良された冷暖房用ファンの組合せ構造を提供することが望ましい。
【発明の概要】
【発明が解決しようとする課題】
【０００５】
本発明の主な目的は、ファン構造が室内環境に高温空気を吹き出すときに、その駆動デバイスを特定の回転速度範囲内で回転させるように制限し、それによって高温空気の熱エネルギーの急速な損失を効果的に回避し、室内環境の温度を上昇させるのに必要な時間を短縮することができる、冷暖房用ファンの組合せ構造を提供することである。
【課題を解決するための手段】
【０００６】
上記目的および他の目的を達成するために、本発明に係る冷暖房用ファンの組合せ構造は、駆動デバイスと、加熱デバイスと、電子デバイスとを備える。駆動デバイスは、ファンブレードアセンブリを回転駆動する。加熱デバイスは高温空気を発生させることができる。電子デバイスは、駆動デバイスおよび加熱デバイスに電気的に接続され、調整ユニット、処理ユニット、および制限モジュールを含む。
【０００７】
電子デバイスの調整ユニットは、駆動デバイスを制御して事前設定された第１の回転速度範囲内で回転させ、それによってファン構造のファンブレードアセンブリを回転駆動して低温対流を引き起こさせることができる。調整ユニットはまた、駆動デバイスの回転速度を第１の回転速度範囲内で選択的に増減することができる。電子デバイスの処理ユニットは、高温空気を発生させるように加熱デバイスを制御することができる。電子デバイスの制限モジュールは、駆動デバイスを第１の回転速度範囲よりも小さい第２の回転速度範囲内で回転させるように制限することができ、それにより、ファンブレードアセンブリは発生した高温空気を吹き出して熱対流を引き起こす。
【０００８】
本発明の好ましい実施形態によれば、制限モジュールは、速度制限ユニットと電流分割ユニットとを含む。速度制限ユニットは、駆動デバイスに電気的に接続されて、駆動デバイスを第２の回転速度範囲内の速度で回転させるように制限する。電流分割ユニットは、処理ユニット、調整ユニット、速度制限ユニットおよび加熱デバイスに電気的に接続されて、外部電源を調整ユニットのみに、または速度制限ユニットおよび加熱デバイスの両方に選択的に送る。そして、速度制限ユニットおよび電流分割ユニットは、共に制限モジュールを形成する。
【０００９】
上記実施形態では、処理ユニットは、駆動デバイスのみが起動されたとき、電流分割ユニットに第１の制御信号を生成し、それにより、第１の制御信号を受信した電流分割ユニットは、外部電源を調整ユニットのみに送る。一方、処理ユニットは、駆動デバイスおよび加熱デバイスの両方が起動されたとき、電流分割ユニットに第２の制御信号を生成し、それにより、第２の制御信号を受信した電流分割ユニットは、外部電源を速度制限ユニットおよび加熱デバイスの両方に送る。
【００１０】
本発明の別の好ましい実施形態によれば、制限モジュールは、抑制ユニットと電流分割ユニットとを含む。抑制ユニットは、調整ユニットおよび処理ユニットに電気的に接続されて調整ユニットを抑制し、それにより、調整ユニットは、駆動デバイスの回転速度を第２の回転速度範囲内でのみ増減することができる。電流分割ユニットは、調整ユニットおよび加熱デバイスに電気的に接続されて、外部電源を調整ユニットのみまたは調整ユニットおよび加熱デバイス両方に選択的に送る。そして、抑制ユニットおよび電流分割ユニットは、共に制限モジュールを形成する。
【００１１】
上記実施形態では、処理ユニットは、電流分割ユニットに第１制御信号を生成し、それにより、電流分割ユニットは、調整ユニットを介して駆動デバイスのみを起動させ、駆動デバイスを第１の回転速度範囲内の速度で回転させるように制限する。一方、処理ユニットは、電流分割ユニットおよび抑制ユニットの両方に第２の制御信号を生成し、それにより、駆動ユニットを第２の回転速度範囲内の速度で回転させ、加熱デバイスを駆動して高温空気を発生させる。
【００１２】
上記２つの好ましい実施形態では、電流分割ユニットおよび処理ユニットは、共にマイクロプロセッサを構成する。本発明のさらに好ましい実施形態によれば、冷暖房用ファンの組合せ構造は、電子デバイスに電気的に接続された無線受信機モジュールと、電子デバイスに電気的に接続された感知デバイスとをさらに含む。無線受信機モジュールは、ポータブルモバイルデバイスに無線で接続され、それにより、ポータブルモバイルデバイスは、無線受信機モジュールを介して駆動デバイスおよび加熱デバイスを遠隔から起動させることができる。
【００１３】
感知デバイスは、室内環境において種々の物理量を検出する。任意の特定の物理量が事前設定値より高いまたは低いことを感知デバイスが検出したとき、電子デバイスは、駆動デバイスおよび加熱デバイスをオフにする。好ましい実施形態では、感知デバイスは、室内温度を感知するための温度センサユニットと、室内湿度レベルを感知するための湿度センサユニットとを含む。電子デバイスは、温度センサユニットが、対応する事前設定値に対して高すぎる室内温度を検出した場合、または湿度センサユニットが、対応する事前設定値に対して低すぎる室内湿度レベルを検出した場合に、駆動デバイスおよび加熱デバイスが作動することを停止させる。
【００１４】
本発明のさらに好ましい実施形態によれば、駆動デバイスは、ファンブレードアセンブリを振動させるための振動アセンブリを含み、電子デバイスは、ファンブレードアセンブリを振動させるように振動アセンブリを選択的に制御することができる。本発明によれば、第１および第２の回転速度範囲は、同じ下限値を有し、一方、第１の回転速度範囲は、第２の回転速度範囲のものよりも高い上限値を有する。
【００１５】
本発明は、駆動デバイスおよび加熱デバイスが同時に起動されるとき、電子デバイスの制限モジュールは、ファンブレードアセンブリが高温空気を室内環境に吹き出し、熱対流を引き起こすように、駆動デバイスを第２の回転速度範囲内で回転させるように制限し、それによって、熱対流中に熱エネルギーの急速な損失を防ぎながら、室内環境の温度を効果的に上昇させることができることを特徴とする。
【００１６】
上記目的および他の目的を達成するために本発明が採用した構造および技術的手段は、以下の好ましい実施形態の詳細な説明および添付の図面を参照することにより最適に理解され得る。
【図面の簡単な説明】
【００１７】
【図１】本発明の第１の好ましい実施形態に係る冷暖房用ファンの組合せ構造の組立斜視図である。
【図２】図１の分解図である。
【図３】本発明の第１の好ましい実施形態に係る冷暖房用ファンの組合せ構造のブロック図である。
【図４】本発明の第１の好ましい実施形態に係る冷暖房用ファンの組合せ構造が冷却空気の流れを発生させ始める様子を示す断面図である。
【図５】本発明の第１の好ましい実施形態に係る冷暖房用ファンの組合せ構造が高温空気の流れを発生させ始める様子を示す断面図である。
【図６】本発明の第２の好ましい実施形態に係る冷暖房用ファンの組合せ構造のブロック図である。
【図７】本発明の第３の好ましい実施形態に係る冷暖房用ファンの組合せ構造の斜視図である。
【図８】本発明の第３の好ましい実施形態に係る冷暖房用ファンの組合せ構造のブロック図である。
【図９】本発明の第４の好ましい実施形態に係る冷暖房用ファンの組合せ構造のブロック図である。
【図１０】本発明の第５の好ましい実施形態に係る冷暖房用ファンの組合せ構造のブロック図である。
【図１１】本発明の第５の好ましい実施形態に係る冷暖房用ファンの組合せ構造のハウジングが上下に振動することができる様子を示す図である。
【図１２】本発明の第６の好ましい実施形態に係る冷暖房用ファンの組合せ構造の斜視図である。
【発明を実施するための形態】
【００１８】
以下、本発明の一部の好ましい実施形態を、図面を参照して説明する。理解を容易にするために、好ましい実施形態において同じ要素は同じ参照番号で示されている。
【００１９】
図１および図２を参照されたい。本発明の第１の実施形態に係る冷暖房用ファンの組合せ構造１は、地面や床に配置されるベース１０と、ベース１０の上部に移動可能に連結されるハウジング２０とを含む。ハウジング２０は、収容空間２１とグリル２２とを含む。収容空間２１は、ハウジング２０の内部に位置し、ハウジング外側の環境と連通可能であり、グリル２２は、ハウジング２０の内側面にねじ締めされているので、収容空間２１の内側に位置する。ハウジング２０内には、起動デバイス３０と、駆動デバイス４０と、加熱デバイス５０と、電子デバイス６０と、ファンブレードアセンブリ７０とが装着されている。
【００２０】
図示するように、起動デバイス３０は、駆動デバイス４０が動作を開始するために駆動開始信号を駆動デバイス４０に生成することができる駆動開始スイッチ３１と、加熱デバイス５０が加熱を開始するための加熱開始信号を加熱デバイス５０に生成することができる加熱開始スイッチ３２とを含む。作動中の駆動デバイス４０は、ファンブレードアセンブリ７０を収容空間２１内で回転駆動する。加熱デバイス５０は、ファンブレードアセンブリ７０の前方に位置するように収容空間２１に装着される。また、加熱デバイス５０は、収容空間２１内の空気を加熱して高温空気を発生させることができる。
【００２１】
図２および図３を参照されたい。電子デバイス６０は、主に、制限モジュール６１と、処理ユニット６２と、ＡＣ／ＤＣコンバータ６３と、調整ユニット６４とを含む。制限モジュール６１は、電流分割ユニット６１１と速度制限ユニット６１２とから構成されている。電流分割ユニット６１１は、処理ユニット６２、ＡＣ／ＤＣコンバータ６３、調整ユニット６４、速度制限ユニット６１２、および加熱デバイス５０に電気的に接続されている。速度制限ユニット６１２は、駆動デバイス４０に接続されている。
【００２２】
処理ユニット６２は、起動デバイス３０に電気的に接続され、駆動開始信号および加熱開始信号を受信する。駆動開始信号を受信した場合のみ、処理ユニット６２は、電流分割ユニット６１１に第１の制御信号を生成する。一方、駆動開始信号および加熱開始信号の両方を受信した場合は、処理ユニット６２は、電流分割ユニット６１１に第２の制御信号を生成する。本発明の好ましい実施形態では、処理ユニット６２および電流分割ユニット６１１は共に、マイクロプロセッサ６５を構成する。
【００２３】
調整ユニット６４は駆動デバイス４０に電気的に接続され、ＡＣ／ＤＣコンバータ６３は、制限モジュール６１の電流分割ユニット６１１に電気的に接続されて外部ＡＣ電源を受け取る。ＡＣ／ＤＣコンバータ６３は、外部ＡＣ電源を外部ＤＣ電源に変換し、外部ＤＣ電源を制限モジュール６１の電流分割ユニット６１１に送るように機能する。そして、電流分割ユニット６１１は、受け取った外部ＤＣ電源を調整ユニット６４のみに、または制限モジュール６１の速度制限ユニット６１２および加熱デバイス５０の両方に選択的に送る。
【００２４】
図示するように、外部ＤＣ電源を受け取ると、調整ユニット６４は、外部ＤＣ電源を駆動デバイス４０に送り、それにより、ファンブレードアセンブリ７０は、駆動デバイス４０によって収容空間２１内で回転駆動され、それにしたがってその中の空気を流れさせる。調整ユニット６４は、駆動デバイス４０の回転速度を第１の回転速度範囲内で選択的に増減させることができる。示される第１の好ましい実施形態では、調整ユニット６４は、駆動デバイス４０の抵抗を変更することにより、駆動デバイス４０の回転速度の増減を達成するが、駆動デバイス４０は、３０〜１４００ｒｐｍの間の範囲の速度で回転するように調整ユニット６４によって制御される。
【００２５】
速度制限ユニット６１２は、外部ＤＣ電源を受け取ると、受け取った外部ＤＣ電源を駆動デバイス４０に送り、それにより、駆動デバイス４０は、ファンブレードアセンブリ７０を収容空間２１内で回転駆動し、それにしたがってその中の空気を流れさせる。速度制限ユニット６１２は、駆動デバイス４０を、第１の回転速度範囲より小さい第２の回転速度範囲内で回転させるように制限することができる。示される第１の実施形態では、第１および第２の回転速度範囲は同じ下限値を有し、一方で第１の回転速度範囲は第２の回転速度範囲よりも大きい上限値を有する。さらに、速度制限ユニット６１２は、駆動デバイス４０の抵抗を特定の抵抗範囲内で変化させるように制限することによって、駆動デバイス４０を第２の回転速度範囲内で回転させるように制限する。さらに、駆動デバイス４０は、３０〜３００ｒｐｍの間の範囲の速度で回転するように速度制限ユニット６１２によって制御される。
【００２６】
図３および図４を参照する。本発明の第１の好ましい実施形態に係る冷暖房用ファンの組合せ構造１の実際の適用においては、まず、駆動開始スイッチ３１が処理ユニット６２に駆動開始信号を生成するように起動デバイス３０の駆動開始スイッチ３１を回す。処理ユニット６２は、駆動開始信号のみを受信すると、制限モジュール６１の電流分割ユニット６１１に第１の制御信号を生成する。
【００２７】
制限モジュール６１の電流分割ユニット６１１は、第１の制御信号を受信すると、調整ユニット６４を介して駆動デバイス４０に外部ＤＣ電源を送り、それにより、ファンブレードアセンブリ７０は駆動デバイス４０によって収容空間２１内で回転駆動され、それにしたがってその中の空気を流れさせ、それによって低温対流を引き起こさせて室内環境の温度を低下させる。
【００２８】
駆動開始スイッチ３１が異なる回転速度に回されると、調整ユニット６４は、これに対応して、駆動デバイス４０の回転速度の変化を引き起こして、低温対流の空気流量を増減させる。本発明の示された実用的な適用では、駆動開始スイッチ３１が６００ｒｐｍの回転速度に回され、調整ユニット６４は、これに対応して駆動デバイス４０を６００ｒｐｍの速度で回転駆動する。
【００２９】
図３および図５を参照されたい。室内環境の温度を上昇させたい場合には、運転開始スイッチ３１および加熱開始スイッチ３２は同時にオンにされ、それにより、駆動開始スイッチ３１は、処理ユニット６２に駆動開始信号を生成し、その一方で加熱開始スイッチ３２は、処理ユニット６２に加熱開始信号を生成する。処理ユニット６２は、駆動開始信号および加熱開始信号の両方を受信すると、制限モジュール６１の電流分割ユニット６１１に第２の制御信号を生成する。
【００３０】
制限モジュール６１の電流分割ユニット６１１は、第２の制御信号を受信すると、外部ＤＣ電源を速度制限ユニット６１２および加熱デバイス５０に同時に送る。速度制限ユニット６１２は、さらに、受け取った外部ＤＣ電源を駆動デバイス４０に送り、駆動デバイス４０にファンブレードアセンブリ７０を収容空間２１内で回転駆動させる。そして、ファンブレードアセンブリ７０の回転により室内空気が流れる。
【００３１】
一方、加熱デバイス５０は、外部電源を受け取ると、収容空間２１内の空気を加熱し始めて高温空気を発生させ、この高温空気は、ファンブレードアセンブリ７０によって室内環境に吹き出されて熱対流を引き起こし、それによって室内環境の温度を上昇させる。速度制限ユニット６１２は、駆動デバイス４０を第２の回転速度範囲内で回転させるように制限することができるので、駆動デバイス４０は、ファンブレードアセンブリ７０を低速回転駆動させ、発生した高温空気を室内環境にゆっくりと吹き出し、それによって熱対流中の熱エネルギーの急速な損失を効果的に防止し、室内温度を上昇させるのに必要な時間を短縮する。示された本発明の実用的な適用では、速度制限ユニット６１２は、駆動デバイス４０を３０から３００ｒｐｍの間の範囲の速度で回転させるように制限し、それにより、駆動デバイス４０は、ファンブレードアセンブリ７０を速度３０から３００ｒｐｍの間の範囲である速度で回転駆動する。
【００３２】
図６は、本発明の第２の好ましい実施形態に係る冷暖房用ファンの組合せ構造のブロック図である。第２の好ましい実施形態は、制限モジュール６１が電流分割ユニット６１１と、抑制ユニット６１３とを含む点で第１の実施形態とは異なる。起動デバイス３０、駆動デバイス４０および加熱デバイス５０を含む第２の好ましい実施形態の他のすべての構造的部材は、第１の好ましい実施形態と同じであるので、ここでは繰り返し説明しない。
【００３３】
制限モジュール６１は、図６に示すように、電流分割ユニット６１１と抑制ユニット６１３とを主に含む。電流分割ユニット６１１は、処理ユニット６２、ＡＣ／ＤＣコンバータ６３、調整ユニット６４、および加熱デバイス５０に電気的に接続される。抑制ユニット６１３は、処理ユニット６２および調整ユニット６４に電気的に接続されて調整ユニット６４を抑制し、それにより、調整ユニット６４は、第２の回転速度範囲内でのみ駆動デバイス４０の回転速度を増減させることができる。本発明の第２の好ましい実施形態に係る冷暖房用ファンの組合せ構造１を実際に適用する場合、制限モジュール６１の電流分割ユニット６１１は、第１の制御信号を受信すると、外部ＤＣ電源を調整ユニット６４のみに送り、それによってファンブレードアセンブリ７０を第１の回転速度範囲内で回転駆動するように駆動デバイス４０を制御する。一方、処理ユニット６２が第２の制御信号を生成すると、第２の制御信号は、処理ユニット６２によって、電流分割ユニット６１１および抑制ユニット６１３の両方に送られる。
【００３４】
電流分割ユニット６１１は、第２の制御信号を受信すると、調整ユニット６４および加熱デバイス５０の両方に外部ＤＣ電源を送る。一方、抑制ユニット６１３は、第２の制御信号を受信すると、調整ユニット６４を抑制し、それにより、調整ユニット６４は、駆動デバイス４０を第２の回転速度範囲内の速度でのみ回転駆動して、ファンブレードアセンブリ７０も第２の回転速度範囲内で回転させる。
【００３５】
図７および図８を参照する。本発明の第３の好ましい実施形態に係る冷暖房用ファンの組合せ構造１は、その起動デバイス３０が、処理ユニット６２に電気的に接続された無線受信機モジュール８０をさらに含む点で第１の実施形態とは異なる。駆動デバイス４０、加熱デバイス５０および電子デバイス６０を含む第３の好ましい実施形態の他のすべての構造的部材は、第１の好ましい実施形態と同じであるので、ここでは繰り返し説明しない。
【００３６】
図７および図８に示すように、無線受信機モジュール８０は、無線受信機モジュール８０に駆動開始信号および加熱開始信号を生成して送信することができるポータブルモバイルデバイス８１に無線で接続される。無線受信機モジュール８０は、さらに、受信した駆動開始信号および加熱開始信号を処理ユニット６２に送信する。処理ユニット６２は、駆動開始信号のみを受信したか、駆動開始信号および加熱開始信号の両方を受信したかを判断する。処理ユニット６２は、駆動開始信号のみを受信した場合、第１の制御信号を生成し、処理ユニット６２は、駆動開始信号および加熱開始信号の両方を受信した場合、第２の制御信号を生成する。その後、制限モジュール６１の電流分割ユニット６１１は、第１の制御信号が生成されて電流分割ユニット６１１に送信される場合には、外部ＤＣ電源を調整ユニット６４にのみに送り、または第２の制御信号が生成されて電流分割ユニット６１１に送信される場合には、速度制限ユニット６１２および加熱ユニット５０の両方に外部ＤＣ電源を送る。
【００３７】
図９は、本発明の第４の好ましい実施形態に係る冷暖房用ファンの組合せ構造１のブロック図である。第４の好ましい実施形態は、処理ユニット６２に電気的に接続された感知デバイス９０をさらに含む点で第１の実施形態とは異なる。起動デバイス３０、駆動デバイス４０、加熱デバイス５０および電子デバイス６０を含む第４の好ましい実施形態の他のすべての構造的部材は、第１の好ましい実施形態のものと同じであるので、ここでは繰り返し説明しない。
【００３８】
感知デバイス９０は、室内環境において種々の物理量を検出することができる。特定の物理量が事前設定値より高いまたは低いことを感知デバイス９０が検出した場合、処理ユニット６２は、電流分割ユニット６１１に停止信号を生成する。電流分割ユニット６１１は、停止信号を受信すると、速度制限ユニット６１２および加熱デバイス５０に外部電源を送ることを停止する。
【００３９】
好ましい実施形態では、感知デバイス９０は、室内温度を検出するための温度センサユニット９１と、室内湿度レベルを検出するための湿度センサユニット９２とを含む。本発明の第４の好ましい実施形態に係る冷暖房用ファンの組合せ構造１の実用的な適用では、ファンブレードアセンブリ７０が高温空気を室内環境に吹き出して、室内環境の温度を上昇させると、温度センサユニット９１および湿度センサユニット９２は、室内環境の温度および湿度レベルそれぞれを検出するように動作する。処理ユニット６２は、温度センサユニット９１および湿度センサユニット９２のいずれかが、対応する事前設定値に対して室内温度が高すぎたり、室内湿度レベルが低すぎたりすることを検出した場合には、停止信号を電流分割ユニット６１１に生成する。電流分割ユニット６１１は、停止信号を受信すると、速度制限ユニット６１２および加熱デバイス５０に外部電源を送ることを停止する。
【００４０】
図１０および図１１を参照する。第５の好ましい実施形態に係る冷暖房用ファンの組合せ構造１は、その起動デバイス３０が、処理ユニット６２に電気的に接続された振動開始スイッチ３３をさらに含み、その駆動デバイス４０が振動アセンブリ４１をさらに含む点で、第１の実施形態とは異なる。第５の好ましい実施形態の他のすべての構造的部材は、第１の好ましい実施形態と同じであるので、ここでは繰り返し説明しない。第５の好ましい実施形態の実際の用途では、振動開始スイッチ３３が押されると、処理ユニット６２に振動開始信号を生成し、処理ユニット６２は、さらに振動開始信号を駆動デバイス４０の振動アセンブリ４１に直接的に送信し、それにより、振動アセンブリ４１は、ハウジング２０を上方向および下方向に振動させる。一方、ファンブレードアセンブリ７０は、ハウジング２０と同期して上方向および下方向に振動させられる。振動アセンブリ４１によって引き起こされるハウジング２０の上方向および下方向の振動は単なる例示であることが理解される。他の動作可能な実施形態では、ファンブレードアセンブリ７０は、振動アセンブリ４１によって直接的に収容空間２１内で上下に振動させられる。
【００４１】
本発明の第６の好ましい実施形態に係る冷暖房用ファンの組合せ構造の斜視図である図１２を参照されたい。第６の好ましい実施形態は、そのハウジング２０のみが第１の好ましい実施形態とは異なる。第６の好ましい実施形態における起動デバイス３０、駆動デバイス４０、加熱デバイス５０および電子デバイス６０は、第１の実施形態と同じであるため、ここでは繰り返し説明しない。
【００４２】
図示するように、第６の好ましい実施形態では、グリル２２は、ハウジング２０の外周縁と同形状または同サイズ以上のフランジ２２１を含む。フランジ２２１は、グリル２２の一部が収容空間２１から突起し、グリル２２の残り部分が収容空間２１の内側に位置するようにハウジング２０の前端部にねじ締めされている。
【００４３】
本発明は、その一部の好ましい実施形態を使用して説明されており、説明する実施形態における数多くの変更および改変形態が、添付の特許請求項の範囲によってのみ限定されるよう意図された本発明の範囲および趣旨から逸脱することなく実施され得ることが理解される。
【図１】
2018021543.tif 000003
【図２】
2018021543.tif 000004
【図３】
2018021543.tif 000005
【図４】
2018021543.tif 000006
【図５】
2018021543.tif 000007
【図６】
2018021543.tif 000008
【図７】
2018021543.tif 000009
【図８】
2018021543.tif 000010
【図９】
2018021543.tif 000011
【図１０】
2018021543.tif 000012
【図１１】
2018021543.tif 000013
【図１２】
2018021543.tif 000014
【外国語明細書】
2018021543000001.pdf
2018021543000002.pdf
2018021543000003.pdf
2018021543000004.pdf